(57)【特許請求の範囲】
【請求項１】
画像を観察する画像観察部と、
前記画像観察部を保持する枠部と、
前記枠部に一端が折り畳み自在に軸支される一対のテンプルと、
前記枠部または前記一端のいずれか一方から突出し、前記テンプルの回転によって他方と当接して前記テンプルの回転角を規制する規制部と、
前記規制部が収納される規制収納部と、
前記規制収納部の内部に設けられた案内溝と、
前記案内溝の対向する面を押圧するような形状を有して前記案内溝に係合される係合部と、
前記規制収納部から露出し、使用者が前記規制部を移動させる際に指でスライド操作可能な操作部と、
を備え、
前記規制部は、前記案内溝に沿ってスライド移動し、前記枠部または前記一端の端面に対して前記枠部の外側へ傾斜する方向に突出することにより、前記一対のテンプル間の距離を変更可能に構成されていることを特徴とする画像観察用眼鏡。
【請求項２】
請求項１に記載の画像観察用眼鏡であって、
前記案内溝は、奥側が広い断面視略三角形状に形成されていることを特徴とする画像観察用眼鏡。
【請求項３】
請求項１または請求項２に記載の画像観察用眼鏡であって、
前記規制部は、前記案内溝に沿ったスライド移動によって、突出する量、または前記テンプルの回転中心に対する前記他方に当接する当接位置の距離が調整可能に構成されていることを特徴とする画像観察用眼鏡。
【請求項４】
画像を観察する画像観察部と、
前記画像観察部を保持する枠部と、
前記枠部の端部に一端が折り畳み自在に軸支される一対のテンプルと、
前記端部の端面から突出し、前記テンプルの回転中心からの距離が調整可能に構成されている規制部と、
前記端部に設けられた開口部と、
を備え、
前記規制部は、
前記開口部から露出し、使用者が前記規制部を移動させる際に指でスライド操作可能な操作部を備え、
前記操作部が操作されることにより、前記端面に沿って移動可能に構成されていることを特徴とする画像観察用眼鏡。
【発明の詳細な説明】
【技術分野】
【０００１】
本発明は、スクリーンやディスプレイに表示される画像を観察するための画像観察用眼鏡に関する。
【背景技術】
【０００２】
近年、スクリーンやディスプレイに表示される画像を、専用の眼鏡を用いることで観察者に３次元画像として認識させたり、同時に２種類の画像を観察できるようにしたりする技術が提案されている（例えば、特許文献１参照）。
【０００３】
特許文献１に記載の眼鏡（眼鏡装置）は、フレーム部および一対の柄を備えている。フレーム部には、使用者の左右の眼の前方に位置する液晶シャッターや偏光フィルターが設けられている。一対の柄は、フレームの両端にそれぞれ連結されている。そして、この眼鏡は、一対の柄が使用者の頭部を挟持するように装着される。
【先行技術文献】
【特許文献】
【０００４】
【特許文献１】特開平１０−２４３４２０号公報
【発明の概要】
【発明が解決しようとする課題】
【０００５】
しかしながら、特許文献１に記載の眼鏡は、使用者の様々な頭部寸法に対応するように構成されていないため、眼鏡の使用者によっては、一対の柄によって圧迫されて不快感を感じたり、緩くて眼鏡の位置がずれて画像を適切に観察できなかったりする恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像観察用眼鏡は、画像を観察する画像観察部と、前記画像観察部を保持する枠部と、前記枠部に一端が折り畳み自在に軸支される一対のテンプルと、前記枠部または前記一端のいずれか一方から突出し、前記テンプルの回転によって他方と当接して前記テンプルの回転角を規制する規制部と、を備え、前記規制部は、突出する量、または前記テンプルの回転中心に対する前記他方に当接する当接位置の距離が調整可能に構成されていることを特徴とする。
【０００８】
この構成によれば、画像観察用眼鏡は、一対のテンプルが枠部に軸支され、折り畳み可能になっているので、使用者は、画像観察用眼鏡を装着する際に、枠部に対して一対のテンプルを広げるように回転させることとなる。そして、テンプルは、枠部またはテンプルのいずれか一方から突出する規制部と、他方とが当接してテンプルの回転角が規制され、使用者に装着される。
【０００９】
そして、規制部は、突出量、または、テンプルの回転中心に対する他方に当接する当接位置の距離が調整可能に構成されている。
規制部の突出量が調整可能な場合には、規制部の突出量を大きくすることで、枠部に対して広げられるテンプルの角度を小さくして一対のテンプルの間を狭め、規制部の突出量を小さくすることで、枠部に対して広げられるテンプルの角度を大きくして一対のテンプルの間を広くすることが可能となる。
【００１０】
また、テンプルの回転中心に対して、規制部と他方とが当接する当接位置の距離が調整可能な場合には、規制部をテンプルの回転中心に近づけることで、枠部に対して広げられるテンプルの角度を小さくして一対のテンプルの間を狭め、規制部をテンプルの回転中心から遠ざけることで、枠部に対して広げられるテンプルの角度を大きくして一対のテンプルの間を広くすることが可能となる。
【００１１】
よって、使用者は、頭部サイズに対応して一対のテンプル間の距離を調整できるので、テンプルの締め付けによる頭部の痛みや、画像観察用眼鏡の位置ずれが抑制され、装着性の良好な画像観察用眼鏡が可能となる。
【００１２】
［適用例２］上記適用例に係る画像観察用眼鏡において、前記規制部は、スライド移動によって突出量が調整され、前記他方と当接した状態における前記テンプルによって作用される作用力の加わる方向と異なる方向に移動することが好ましい。
【００１３】
使用者が画像観察用眼鏡を装着する際に、テンプルの回転を規制する規制部には、テンプルが軸支される部位を支点としてテンプルからの作用力が加わることとなる。この構成によれば、規制部は、スライド移動によって突出量が調整され、作用力の加わる方向と異なる方向に移動するように構成されている。これによって、突出量が調整された規制部は、テンプルからの作用力によって、ずれることが抑制される。よって、装着性の良好な状態を維持する画像観察用眼鏡の提供が可能となる。
【００１４】
また、作用力の加わる方向と規制部の移動方向とが略一致する構成に比べ、規制部を移動させる操作力が小さくなるように構成しても、使用者が画像観察用眼鏡を装着した際の規制部がずれないようにすることが可能となる。つまり、規制部を移動させる操作力も小さくすることが可能となり、一対のテンプル間の距離を調整する操作性の向上が図れる。
【図面の簡単な説明】
【００１５】
【図１】第１実施形態の画像観察用眼鏡を模式的に示す外観図。
【図２】第１実施形態の規制部近傍の画像観察用眼鏡を模式的に示す図。
【図３】第１実施形態の規制部近傍の画像観察用眼鏡を模式的に示す図。
【図４】第１実施形態の規制部近傍の画像観察用眼鏡を模式的に示す図。
【図５】第１実施形態の画像観察用眼鏡を模式的に示す外観図。
【図６】第２実施形態の画像観察用眼鏡を模式的に示す図。
【図７】変形例の画像観察用眼鏡を模式的に示す図。
【発明を実施するための形態】
【００１６】
（第１実施形態）
以下、第１実施形態に係る画像観察用眼鏡について、図面を参照して説明する。
図１は、本実施形態の画像観察用眼鏡を模式的に示す外観図である。なお、以下では、説明の便宜上、画像観察用眼鏡１を装着した使用者から見て、前方を＋Ｙ方向（前方向）、右方向を＋Ｘ方向（右方向）、上方向を＋Ｚ方向（上方向）として記載する。
【００１７】
画像観察用眼鏡１は、図１に示すように、本体部２、テンプル３および規制部４を備えている。
本体部２は、画像観察部２１、および枠部２２を備えている。
画像観察部２１は、使用者にとって右眼の前方に位置する画像観察部２１Ｒ、左眼の前方に位置する画像観察部２１Ｌを備えている。画像観察部２１Ｒ，２１Ｌは、立体画像や１つのディスプレイで複数の画像等を観察するための光学部材（例えば、液晶シャッターや光学フィルター等）や、メカ的なシャッター機構等を有して構成されている。
【００１８】
枠部２２は、画像観察部２１Ｒ，２１Ｌを保持するように構成され、両端は、左右対称に形成されている。具体的に、枠部２２は、＋Ｘ側の端部２２Ｒおよび−Ｘ側の端部２２Ｌがそれぞれ−Ｙ方向に突出し形成されており、端部２２Ｒの端面２２ＲＡおよび端部２２Ｌの端面２２ＬＡは、Ｘ−Ｚ平面に沿うように形成されている。端部２２Ｒ，２２Ｌには、それぞれ規制部４がスライド移動可能に配置されている。端部２２Ｒ，２２Ｌの構造については、後で詳細に説明する。
【００１９】
テンプル３は、本体部２の両端部に一対設けられ、それぞれの一端が円柱状のピンＰを介して枠部２２の端部２２Ｒ，２２Ｌに折り畳み自在に軸支されている。具体的に、テンプル３は、端部２２Ｒに軸支されるテンプル３Ｒ、および端部２２Ｌに軸支されるテンプル３Ｌを備えている。テンプル３Ｒ，３Ｌは、それぞれ端面３１Ｒ，３１Ｌを有して左右対称に形成され、この端面３１Ｒ，３１Ｌ側で端部２２Ｒ，２２Ｌに回転可能に軸支される。
【００２０】
規制部４は、端部２２Ｒに配置される規制部４Ｒ、および端部２２Ｌに配置される規制部４Ｌを備えている。
規制部４Ｒ，４Ｌは、端面２２ＲＡ，２２ＬＡに対し、突出しない状態（以下、「非突出状態」いう）、および突出する状態（以下、「突出状態」という）を有し、スライド移動されることによって端面２２ＲＡ，２２ＬＡからの突出量が調整される。
【００２１】
規制部４Ｒ，４Ｌは、左右対称に形成されており、突出状態において、テンプル３Ｒ，３Ｌの回転によって端面３１Ｒ，３１Ｌが当接し、テンプル３Ｒ，３Ｌの回転角を規制する。すなわち、画像観察用眼鏡１は、規制部４Ｒ，４Ｌが移動されることによって、枠部２２に対して広げられるテンプル３Ｒ，３Ｌの角度、つまりテンプル３Ｒ，３Ｌ間の距離（以下、「テンプル間距離」という）が変更できるようになっている。
【００２２】
テンプル３Ｒ，３Ｌは、折り畳まれた状態から、それぞれの後端が広げられて使用者に装着される。具体的に、テンプル３Ｒ，３Ｌは、枠部２２に対して広げられるようにピンＰを中心に回転され、非突出状態においては、端面２２ＲＡ，２２ＬＡに当接し、突出状態においては、規制部４Ｒ，４Ｌに当接して使用者に装着可能な状態（以下、「オープン状態」という）となる。そして、画像観察用眼鏡１が使用者に装着されると、テンプル３Ｒは、使用者の頭部の右側に位置し、テンプル３Ｌは、使用者の頭部の左側に位置することとなる。
【００２３】
ここで、端部２２Ｒ，２２Ｌの構造について、詳細に説明する。前述したように、端部２２Ｒ，２２Ｌ、および規制部４Ｒ，４Ｌは、左右対称に形成されている。ここでは、端部２２Ｌおよび規制部４Ｌに注目して説明する。
【００２４】
図２、図３は、規制部４Ｌ近傍の画像観察用眼鏡１を模式的に示す図である。具体的に、図２は、非突出状態における画像観察用眼鏡１を上方から見た断面図、図３は、図１における画像観察用眼鏡１の断面Ａ−Ａを示す図である。
【００２５】
端部２２Ｌには、図２に示すように、端面２２ＬＡの＋Ｘ側縁部近傍から突出する平面視半円形の支持部２２４が形成されている。支持部２２４の中央部には、ピンＰが挿通される孔が形成されており、テンプル３Ｌは、この支持部２２４にピンＰを介して軸支され、ピンＰの中心軸ＰＪを中心として回転される。
【００２６】
また、図示は省略するが、端部２２Ｌは、上部を形成する上端部、および下部を形成する下端部を有して形成され、この上端部および下端部とで規制部４Ｌをスライド移動可能に支持する。
【００２７】
端部２２Ｌには、図２に示すように、−Ｘ側の側面に開口し、規制部４Ｌが収納される規制収納部２２１が形成されている。
この規制収納部２２１の内部には、案内溝２２２および内面２２１Ａ，２２１Ｂが形成されている。
【００２８】
案内溝２２２は、図２に示すように、規制収納部２２１の奥に設けられており、図３に示すように、奥側が広い断面視略三角形状に形成されている。
案内溝２２２は、図２に示すように、端面２２ＬＡに対して傾斜する方向に延出して形成されており、具体的には、−Ｘ方向に向かう程−Ｙ方向に位置するように傾斜している。規制部４Ｌは、案内溝２２２に沿って移動される。つまり、規制部４Ｌは、端面２２ＬＡに対して傾斜する方向にスライド移動される（図２のおける移動方向Ｓ）。
【００２９】
内面２２１Ａは、規制収納部２２１の−Ｙ側に形成されており、移動方向Ｓに対して略直交している。内面２２１Ｂは、規制収納部２２１の＋Ｙ側に形成されており、移動方向Ｓに対して略直交している。
【００３０】
また、端部２２Ｌには、支持部２２４の−Ｘ方向に設けられ、内面２２１Ａから端面２２ＬＡに向かって貫通する貫通孔２２３が形成されている。貫通孔２２３は、移動方向Ｓに沿って形成されおり、この貫通孔２２３から規制部４Ｌの後述する突出部４２が突出する。
【００３１】
規制部４Ｌは、図２、図３に示すように、案内溝２２２に係合される係合部４１、突出部４２、および操作部４３を有している。
係合部４１は、案内溝２２２に沿うような形状や、案内溝２２２の対向する面を押圧するような形状を有し、規制部４が案内溝２２２に対して摩擦力を有して移動可能に形成されている。そして、係合部４１は、使用者が指の力で規制部４Ｌを移動可能で、使用者が画像観察用眼鏡１を装着した際に規制部４Ｌがずれないように案内溝２２２に係合されている。
【００３２】
突出部４２は、貫通孔２２３に挿通され、規制部４Ｌの移動に対応して端面２２ＬＡから突出する量が変更される。
操作部４３は、使用者が規制部４Ｌを移動させる際に操作される部位であり、規制収納部２２１から露出している。
【００３３】
規制部４Ｌは、端部２２Ｌの下端部に配置された後、端部２２Ｌの上端部が下端部にネジ固定されて端部２２Ｌに配置される。
規制部４Ｌは、内面２２１Ａに当接した状態で端面２２ＬＡから最も突出した状態（最大突出状態）となり、２２１Ｂに当接した状態で非突出状態となる。そして、規制部４Ｌは、最大突出状態と非突出状態との間で自在に移動可能となっている。
【００３４】
規制部４Ｒは、規制部４Ｌが端部２２Ｌに配置された構成と同様に、端部２２Ｒに配置され、最大突出状態と非突出状態との間で自在に移動可能となっている。
【００３５】
ここで、規制部４の動作について、規制部４Ｌに注目して説明する。
図４は、規制部４Ｌ近傍の画像観察用眼鏡１を模式的に示す図であり、最大突出状態における画像観察用眼鏡１を上方から見た断面図である。図５は、本実施形態の画像観察用眼鏡１を模式的に示す外観図である。
【００３６】
規制部４Ｌが非突出状態において、テンプル３Ｌは、図２に示すように、端面３１Ｌが枠部２２の端面２２ＬＡに当接する位置まで回転可能となる。
同様に、規制部４Ｒが非突出状態において、テンプル３Ｒは、端面３１Ｒが枠部２２の端面２２ＲＡに当接する位置まで回転可能となる。
【００３７】
そして、規制部４Ｌ，４Ｒの双方が非突出状態の場合には、テンプル３Ｌ，３Ｒは、テンプル間距離Ｌ１を有してオープン状態となる（図５において２点鎖線で示す）。テンプル３Ｌ，３Ｒは、この規制部４Ｌ，４Ｒの双方が非突出状態の場合において、テンプル間距離が最も大きな状態となる。
【００３８】
一方、規制部４Ｌが非突出状態から移動されて突出状態になると、テンプル３Ｌは、端面３１Ｌが規制部４Ｌの突出部４２に当接する位置まで回転可能となる。そして、テンプル３Ｌは、規制部４Ｌが内面２２１Ａに当接する位置まで移動されると、図４に示すように、最大突出状態となる。
【００３９】
そして、規制部４Ｌ，４Ｒの双方が最大突出状態の場合には、テンプル３Ｌ，３Ｒは、テンプル間距離Ｌ２を有してオープン状態となる（図５において実線で示す）。テンプル３Ｌ，３Ｒは、この規制部４Ｌ，４Ｒの双方が最大突出状態の場合において、テンプル間距離が最も小さな状態となる。
このようにテンプル３Ｌ，３Ｒは、規制部４Ｌ，４Ｒの突出量が変更されることによって両者の間の距離が調整される。
【００４０】
また、規制部４Ｌ，４Ｒは、前述したように、移動方向Ｓに沿って移動されるように構成されており、この移動方向Ｓは、突出状態において、テンプル３によって作用される作用力の加わる方向と異なる方向となっている。
【００４１】
具体的に、突出状態において、規制部４Ｌには、図４に示すようにピンＰを支点とし、端面３１Ｌと規制部４Ｌとが当接する当接位置を作用点とする時計回り方向の作用力Ｆが加わる。規制部４Ｌの移動方向Ｓは、この作用力Ｆの加わる方向に対して角度θを有している。図示は省略するが、規制部４Ｒは、規制部４Ｌと同様に、テンプル３Ｒによって作用される作用力の加わる方向と異なる方向に移動するように構成されている。
【００４２】
このように、左右の規制部４は、突出状態におけるテンプル３によって作用される作用力の加わる方向と異なる方向に移動することによって、突出量が調整される。
【００４３】
以上説明したように、本実施形態の画像観察用眼鏡１によれば、以下の効果を得ることができる。
（１）使用者は、頭部のサイズに合うように規制部４の突出量を調整し、画像観察用眼鏡１を装着することができる。すなわち、使用者は、テンプル３が緩い場合には、規制部４の突出する量が大きくなるように規制部４を移動してテンプル間距離を小さくし、テンプル３がきつい場合には、規制部４の突出する量が小さくなるように規制部４を移動してテンプル間距離を大きくすることができる。
よって、使用者の頭部サイズに対応して一対のテンプル３間の距離を調整できるので、テンプル３の締め付けによる頭部の痛みや、画像観察用眼鏡１の位置ずれが抑制され、装着性の良好な画像観察用眼鏡１が可能となる。
【００４４】
（２）規制部４は、テンプル３の作用力Ｆの加わる方向と異なる方向に移動するように構成されている。これによって、突出量が調整された規制部４は、作用力Ｆによってずれることが抑制され、装着性の良好な状態を維持する画像観察用眼鏡１の提供が可能となる。
また、作用力Ｆの加わる方向と移動方向Ｓとが略一致する構成に比べ、係合部４１と案内溝２２２との間の摩擦力が小さくなるように構成しても、使用者が画像観察用眼鏡１を装着した際の規制部４がずれないようにすることが可能となる。つまり、規制部４を移動させる操作力も小さくすることが可能となり、一対のテンプル３間の距離を調整する操作性の向上が図れる。
【００４５】
（３）規制部４は、使用者の指の力で移動できるように構成されているので、特定の工具等を使用することなくテンプル３の位置を調整することができ、利便性の向上が図れる。
【００４６】
（４）異なるサイズの枠部２２を複数用意すること無く、異なるサイズの頭部に対応できるので、枠部２２を成形する金型の種類の低減等によるコスト化や、在庫管理の簡素化等が図れる。
【００４７】
（第２実施形態）
次に、第２実施形態に係る画像観察用眼鏡１０について、図面を参照して説明する。以下の説明では、第１実施形態の画像観察用眼鏡１と同様の構造および同様の部材には、同一符号を付し、その詳細な説明は省略または簡略化する。
【００４８】
本実施形態の画像観察用眼鏡１０は、第１実施形態の規制部４と異なる方向に移動可能に構成された規制部を備えている。
第２実施形態の規制部は、第１実施形態の規制部４と同様に、端部２２Ｌ，２２Ｒにそれぞれ配置され、端面２２ＬＡ，２２ＲＡから突出した状態でテンプル３の回転中心（中心軸ＰＪ）からの距離が調整可能に構成されている。
【００４９】
第２実施形態の規制部は、第１実施形態の規制部４と同様に、左右対称に形成されている。ここでは、端部２２Ｌに配置された規制部１４Ｌに注目して説明する。
図６は、第２実施形態の画像観察用眼鏡１０を模式的に示す図であり、規制部１４Ｌ近傍の図である。具体的に、図６（ａ）は、規制部１４Ｌが中心軸ＰＪから遠い位置にある状態、図６（ｂ）は、規制部１４Ｌが中心軸ＰＪに近い位置にある状態を示す図である。
【００５０】
規制部１４Ｌは、図６に示すように、端面２２ＬＡから突出する突出部１４１、および端部２２Ｌの上面に設けられた開口部２２７から露出する操作部１４２を備えている。規制部１４Ｌは、操作部１４２が操作されることによって、端面２２ＬＡに沿って移動可能に構成されている。
【００５１】
そして、規制部１４Ｌは、移動される位置に応じて中心軸ＰＪに対する端面３１Ｌが当接する当接位置の距離（当接距離）が変わる。
具体的に、規制部１４Ｌは、図６（ａ）に示すように、中心軸ＰＪから遠い位置にある状態において、当接距離Ｍ１を有して端面３１Ｌに当接する。そして、規制部１４Ｌは、図６（ｂ）に示すように、中心軸ＰＪに近い位置にある状態においては、当接距離Ｍ１より小さい当接距離Ｍ２を有して端面３１Ｌに当接する。
【００５２】
そして、テンプル３Ｌは、図６に示すように、中心軸ＰＪに対し、規制部１４Ｌが遠い状態より、規制部１４Ｌが近い状態の方が枠部２２に対して広げられる角度が小さくなる。
【００５３】
図示は省略するが、テンプル３Ｒは、端部２２Ｒに配置された規制部が同様に移動されることによって、枠部２２に対して広げられる角度が変わる。
そして、左右の規制部の双方が中心軸ＰＪから遠い状態において、テンプル間距離が大きくなり、左右の規制部の双方が中心軸ＰＪに近い状態において、テンプル間距離が小さくなる。
このように、規制部は、中心軸ＰＪに対するテンプル３に当接する当接位置の距離が調整可能に構成され、テンプル３Ｌ，３Ｒは、規制部が調整されることによって両者の間の距離が変更される。
【００５４】
以上説明したように、本実施形態の画像観察用眼鏡１０によれば、第１実施形態の効果と同様の効果を得ることができる。
【００５５】
なお、前記実施形態は、以下のように変更してもよい。
（変形例１）
第１実施形態の規制部４Ｌ，４Ｒは、枠部２２に収納されているが、この規制部４Ｌ，４Ｒをテンプル３Ｌ，３Ｒにそれぞれ収納して端面３１Ｌ，３１Ｒからの突出量が調整可能な構成としてもよい。
同様に、第２実施形態の規制部は、枠部２２に収納されているが、この規制部をテンプル３Ｌ，３Ｒにそれぞれ収納して端面３１Ｌ，３１Ｒから突出させ、端面３１Ｌ，３１Ｒに沿って移動可能な構成としてもよい。
【００５６】
（変形例２）
図示は省略するが、上下方向に移動可能に構成された規制部によって、一対のテンプル３間の距離が調整されるように構成してもよい。
【００５７】
（変形例３）
前記第１実施形態の規制部４は、係合部４１が案内溝２２２に対して摩擦力を有して移動可能に構成されているが、摩擦力に限らず、他の構成によって規制部４の移動および位置決めが可能となるように構成してもよい。図７は、変形例の画像観察用眼鏡２０を模式的に示す図であり、端部２２Ｌに収納された規制部２４Ｌ近傍の部分断面図である。
【００５８】
端部２２Ｌには、図７に示すように、端面２２ＬＡに開口する規制収納部２２５を有して形成され、この規制収納部２２５の上面２２５Ａおよび下面２２５Ｂには、断面視三角形状の凹部２２６が規制部２４Ｌの移動方向に沿って複数形成されている。
【００５９】
規制部２４Ｌは、移動方向が長い長尺状に形成され、中央部には、長孔２４１が設けられている。そして、長孔２４１の上側となる上部２４２の上面、および長孔２４１の下側となる下部２４３の下面には、上下の凹部２２６に係合可能な係合突起２４４がそれぞれ形成されている。
【００６０】
規制部２４Ｌは、移動方向に力が加えられることによって、上部２４２および下部２４３が撓み、係合突起２４４が隣接する凹部２２６間の凸部を乗り越えて移動する。そして、規制部２４Ｌは、移動方向の力が解除されると、解除された位置で係合突起２４４が凹部２２６に係合されて位置が決められる。
【００６１】
（変形例４）
カム機構およびロック機構を用い、カム機構によって規制部の突出量を調整し、ロック機構によって突出量が変更された規制部の状態を維持するように構成してもよい。
【符号の説明】
【００６２】
１，１０，２０…画像観察用眼鏡、２…本体部、３，３Ｌ，３Ｒ…テンプル、４，４Ｌ，４Ｒ，１４Ｌ，２４Ｌ…規制部、２１，２１Ｌ，２１Ｒ…画像観察部、２２…枠部、２２Ｌ，２２Ｒ…端部、２２ＬＡ，２２ＲＡ，３１Ｌ，３１Ｒ…端面、Ｆ…作用力、Ｍ１，Ｍ２…当接距離、ＰＪ…中心軸、Ｓ…移動方向。
【図１】
0005793844.tif 000002
【図２】
0005793844.tif 000003
【図３】
0005793844.tif 000004
【図４】
0005793844.tif 000005
【図５】
0005793844.tif 000006
【図６】
0005793844.tif 000007
【図７】
0005793844.tif 000008